(57)【要約】【課題】表示画質の低下を伴うことなしに、軽量化及び薄型化を可能とし、かつ表示パネルの保持構造の信頼性が高められた画像表示装置を実現する。【解決手段】蛍光体を備えたアノード基板と電子源を備えたカソード基板とを有する表示パネルと、カソード基板に固着された補強体とを備えた画像表示装置において、その側面に、他の機器に実装固定するための保持部材を備え、該保持部材に実装固定用ネジをアノード基板の主面と平行な方向に挿通する孔を設ける。【選択図】図１
2007293003.tif 000002
【特許請求の範囲】
【請求項１】
光透過性材料からなり，その内面に蛍光体を備えたアノード基板と、前記蛍光体に対向する電子源をその内面に備え，前記アノード基板に間隙を介して対向配置されたカソード基板とを有し、前記アノード基板と前記カソード基板とをその一部とした真空外囲器を形成してなる表示パネルと、
前記カソード基板の，前記アノード基板と反対側の面に固着されて、前記カソード基板とともに、大気圧よりも減圧された気密室を形成する補強体とを備えた画像表示装置であって、
該画像表示装置の側面に、該画像表示装置を他の機器に実装固定するための保持部材を備え、該保持部材に前記実装固定のためのネジを前記アノード基板の主面と平行な方向に挿通する孔が設けられていることを特徴とする画像表示装置。
【請求項２】
請求項１に記載された画像表示装置において、前記保持部材が前記表示パネルの側面に固定されていることを特徴とする画像表示装置。
【請求項３】
請求項１に記載された画像表示装置において、前記保持部材が前記補強体の側面に固定されていることを特徴とする画像表示装置。
【請求項４】
請求項１〜３の何れかに記載された画像表示装置において、前記ネジを挿通する孔が、前記表示パネルの左右辺に沿って配設されるよう前記保持部材が設けられていることを特徴とする画像表示装置。
【請求項５】
請求項１〜３の何れかに記載された画像表示装置において、前記ネジを挿通する孔が、前記表示パネルの上下辺に沿って配設されるよう前記保持部材が設けられていることを特徴とする画像表示装置。
【請求項６】
請求項１〜３の何れかに記載された画像表示装置において、前記ネジを挿通する孔が、前記表示パネルの上下及び左右辺に沿って配設されるよう前記保持部材が設けられていることを特徴とする画像表示装置。
【請求項７】
光透過性材料からなり，その内面に蛍光体を備えたアノード基板と、前記蛍光体に対向する電子源をその内面に備え，前記アノード基板に間隙を介して対向配置されたカソード基板とを有し、前記アノード基板と前記カソード基板とをその一部とした真空外囲器を形成してなる表示パネルと、
前記カソード基板の，前記アノード基板と反対側の面に固着された、板状の金属製の補強体とを備えた画像表示装置であって、
該画像表示装置の側面に、該画像表示装置を他の機器に実装固定するための保持部材を備え、該保持部材に前記実装固定のためのネジを前記アノード基板の主面と平行な方向に挿通する孔が設けられていることを特徴とする画像表示装置。
【請求項８】
請求項７に記載された画像表示装置において、前記保持部材が前記表示パネルの側面に固定されていることを特徴とする画像表示装置。
【請求項９】
請求項７に記載された画像表示装置において、前記保持部材が前記補強体の側面に固定されていることを特徴とする画像表示装置。
【請求項１０】
請求項７〜９の何れかに記載された画像表示装置において、前記ネジを挿通する孔が、前記表示パネルの左右辺に沿って配設されるよう前記保持部材が設けられていることを特徴とする画像表示装置。
【請求項１１】
請求項７〜９の何れかに記載された画像表示装置において、前記ネジを挿通する孔が、前記表示パネルの上下辺に沿って配設されるよう前記保持部材が設けられていることを特徴とする画像表示装置。
【請求項１２】
請求項７〜９の何れかに記載された画像表示装置において、前記ネジを挿通する孔が、前記表示パネルの上下及び左右辺に沿って配設されるよう前記保持部材が設けられていることを特徴とする画像表示装置。
【請求項１３】
光透過性材料からなり，その内面に蛍光体を備えたアノード基板と、前記蛍光体に対向する電子源をその内面に備え，前記アノード基板に間隙を介して対向配置されたカソード基板とを有し、前記アノード基板と前記カソード基板とをその一部とした真空外囲器を形成してなる表示パネルと、
前記カソード基板の，前記アノード基板と反対側の面に固着されて、前記カソード基板とともに、大気圧よりも減圧された気密室を形成する補強体とを備えた画像表示装置であって、
該画像表示装置を他の機器に実装固定するための保持部材を備え、該保持部材が前記アノード基板を嵌めて固定するとともに、前記他の機器の外装の一部をなすことを特徴とする画像表示装置。
【請求項１４】
請求項１３に記載された画像表示装置において、前記他の機器がＴＶセットであり、前記外装の一部が該ＴＶセットの前面部分であることを特徴とする画像表示装置。
【請求項１５】
光透過性材料からなり，その内面に蛍光体を備えたアノード基板と、前記蛍光体に対向する電子源をその内面に備え，前記アノード基板に間隙を介して対向配置されたカソード基板とを有し、前記アノード基板と前記カソード基板とをその一部とした真空外囲器を形成してなる表示パネルと、
前記カソード基板の，前記アノード基板と反対側の面に固着された、板状の金属製の補強体とを備えた画像表示装置であって、
該画像表示装置を他の機器に実装固定するための保持部材を備え、該保持部材が前記アノード基板を嵌めて固定するとともに、前記他の機器の外装の一部をなすことを特徴とする画像表示装置。
【請求項１６】
請求項１５に記載された画像表示装置において、前記他の機器がＴＶセットであり、前記外装の一部が該ＴＶセットの前面部分であることを特徴とする画像表示装置。
【発明の詳細な説明】
【技術分野】
【０００１】
本発明は、画像表示装置、特に、電子放出型電子源から放射される電子を蛍光体に射突させて、蛍光体を発光させるタイプの平面型画像表示装置に関するものである。
【背景技術】
【０００２】
平面型画像表示装置の一つのタイプである電界放射型画像表示装置には、非特許文献１に記述されているように種々のタイプがある。それらの最も一般的な基本構造は、電界放射型電子源が形成されたカソード基板と、蛍光体が塗布されたアノード基板とを、所定の間隙を介して対向配置させて気密封着し、それら基板間の空間を真空に保持する真空外囲器を備えるものである。真空外囲器の内部が真空に保持されるためには、真空外囲器は大気圧の荷重に耐える必要がある。その為に、カソード基板及びアノード基板として厚いガラス板を用いると真空外囲器の重量が過大に大きくなってしまう。平面型画像表示装置のスクリーンサイズの対角径が３２インチ程度に大きくなる傾向にある近年、スクリーンサイズの増大に合わせてガラス基板の厚みを増大させねばならず、大きな問題となっていた。
【０００３】
そこで、カソード基板及びアノード基板の双方に厚いガラス板を用いる代わりに、アノード基板には厚いガラス板を用いるが、カソード基板には薄いガラス板を用いることが提案されている。カソード基板とアノード基板の間の間隙の保持は、カソード基板とアノード基板との間にサンドイッチされるスペーサの数を増加させて、大気圧荷重に対する耐力を増加させることが出来るが、スペーサの数の過大な増加には、画像表示装置の表示品質を劣化させてしまう欠点があった。スペーサの厚みを薄くすることで、スペーサによる表示品質の劣化を抑制することも行われているが、画像表示装置の外部から見えない程度に薄くしたスペーサの製造、配置、組み立てが難しいことや、スペーサがチャージアップして画像を乱す原因になるなどの課題があり、スペーサを不要とするか、又はスペーサの数を極力少なく出来る画像表示装置の構造が要望されてきた。
【０００４】
特許文献１は、透明なガラス板からなる表示面パネルに、機械的強度及び剛性がガラスより大きい材料で形成された箱形の外側裏面パネルを接着して平面型表示管の容器を形成し、その外側裏面パネルの内側にガラス製の内側裏面パネルを設ける構成を開示している。この構成により、内側裏面パネルがガラス製でありながら、その薄形化、軽量化を図っている。
【０００５】
特許文献２は、透明なガラス板からなる正面板に、複数の金属製の箱型の背面板を重ね接合して、互いに独立した複数の真空室を形成し、この複数の真空室に圧力差を設ける構成を開示している。この構成により、それぞれの背面板に大気圧が分割でかかる構造になり、軽量、薄型の表示装置の真空容器を形成している。
【０００６】
特許文献３においては、その内面に蛍光体スクリーンが形成されているガラスからなるフェースパネルと、このフェースパネルに対向してフリットガラスにより封着されている，ガラスからなる後部外囲器とで真空外囲器を形成し、この真空外囲器内部を真空に排気している。このとき、フェースパネルと後部外囲器とのシール面に、電子放出素子が形成された基板を挟んで封着することにより、フェースパネルと電子放出素子が形成された基板との間の間隔を保持するためのスペーサを不要にしている。
【０００７】
特許文献４は、対向する陰極パネルと陽極パネルとの間の周縁部にスペーサを設置し、かつ該スペーサを陰極パネルと陽極パネルそれぞれに接着して、陰極パネルと陽極パネルとの間の空間を真空に保持し、さらに陰極パネルの背面には、接着剤を用いて補強板を接着している。この補強板は、陰極板を構成するガラスよりもヤング率が大きく、かつ比重の小さな材質で形成されている。
【０００８】
一方、表示装置を構成する気密外囲器を、表示装置の筐体に取り付ける方法として、特許文献５は、表示パネルの裏面を両面接着テープを介して筐体内のシャーシ部材に接着固定することを開示している。
【０００９】
【特許文献１】特開昭６０−１１５１３３号公報
【特許文献２】特開平３−２３６１４３号公報
【特許文献３】特開２０００−２３１８９２号公報
【特許文献４】特開平１０−１８８８５７号公報
【特許文献５】特開２００１−３４５５８６号公報
【非特許文献１】雑誌「電子材料」２００４年４月号頁94〜102：「FED（電界放射型ディスプレイ）の基礎」
【発明の開示】
【発明が解決しようとする課題】
【００１０】
特許文献1〜４記載の表示パネルを、特許文献５記載技術の如く、表示パネルの裏面を両面接着テープを介して筐体に、直接またはシャーシ等を介して接着固定した場合、表示装置前面側の前面基板に比較的厚く重いガラス板が用いられている為、表示パネルの前面側が重くバランスが悪いことと、接着テープの粘着強度に問題があった。
【００１１】
本発明の目的は、表示画質の低下を伴うことなしに、軽量化及び薄型化を可能とし、かつ表示パネルの保持構造の信頼性が高められた画像表示装置を提供することにある。
【００１２】
本発明の上記目的及びその他の目的と新規な特徴は、本明細書の記述及び添付図面によって明らかにする。
【課題を解決するための手段】
【００１３】
本書において開示される発明のうち、代表的なものの概要を説明すれば、下記のとおりである。
（１）  光透過性材料からなり，その内面に蛍光体を備えたアノード基板と、前記蛍光体に対向する電子源をその内面に備え，前記アノード基板に間隙を介して対向配置されたカソード基板とを有し、前記アノード基板と前記カソード基板とをその一部とした真空外囲器を形成してなる表示パネルと、前記カソード基板の，前記アノード基板と反対側の面に固着されて、前記カソード基板とともに、大気圧よりも減圧された気密室を形成する補強体とを備えた画像表示装置であって、該画像表示装置の側面に、該画像表示装置を他の機器に実装固定するための保持部材を備え、該保持部材に前記実装固定のためのネジを前記アノード基板の主面と平行な方向に挿通する孔が設けられている画像表示装置。
（２）  （１）に記載された画像表示装置において、前記保持部材が前記表示パネルの側面に固定されている画像表示装置。
（３）  （１）に記載された画像表示装置において、前記保持部材が前記補強体の側面に固定されている画像表示装置。
（４）  （１）〜（３）の何れかに記載された画像表示装置において、前記ネジを挿通する孔が、前記表示パネルの左右辺に沿って配設されるよう前記保持部材が設けられている画像表示装置。
（５）  （１）〜（３）の何れかに記載された画像表示装置において、前記ネジを挿通する孔が、前記表示パネルの上下辺に沿って配設されるよう前記保持部材が設けられている画像表示装置。
（６）  （１）〜（３）の何れかに記載された画像表示装置において、前記ネジを挿通する孔が、前記表示パネルの上下及び左右辺に沿って配設されるよう前記保持部材が設けられている画像表示装置。
（７）  光透過性材料からなり，その内面に蛍光体を備えたアノード基板と、前記蛍光体に対向する電子源をその内面に備え，前記アノード基板に間隙を介して対向配置されたカソード基板とを有し、前記アノード基板と前記カソード基板とをその一部とした真空外囲器を形成してなる表示パネルと、前記カソード基板の，前記アノード基板と反対側の面に固着された、板状の金属製の補強体とを備えた画像表示装置であって、
該画像表示装置の側面に、該画像表示装置を他の機器に実装固定するための保持部材を備え、該保持部材に前記実装固定のためのネジを前記アノード基板の主面と平行な方向に挿通する孔が設けられている画像表示装置。
（８）  （７）に記載された画像表示装置において、前記保持部材が前記表示パネルの側面に固定されている画像表示装置。
（９）  （７）に記載された画像表示装置において、前記保持部材が前記補強体の側面に固定されている画像表示装置。
（１０）  （７）〜（９）の何れかに記載された画像表示装置において、前記ネジを挿通する孔が、前記表示パネルの左右辺に沿って配設されるよう前記保持部材が設けられている画像表示装置。
（１１）  （７）〜（９）の何れかに記載された画像表示装置において、前記ネジを挿通する孔が、前記表示パネルの上下辺に沿って配設されるよう前記保持部材が設けられている画像表示装置。
（１２）  （７）〜（９）の何れかに記載された画像表示装置において、前記ネジを挿通する孔が、前記表示パネルの上下及び左右辺に沿って配設されるよう前記保持部材が設けられている画像表示装置。
（１３）  光透過性材料からなり，その内面に蛍光体を備えたアノード基板と、前記蛍光体に対向する電子源をその内面に備え，前記アノード基板に間隙を介して対向配置されたカソード基板とを有し、前記アノード基板と前記カソード基板とをその一部とした真空外囲器を形成してなる表示パネルと、前記カソード基板の，前記アノード基板と反対側の面に固着されて、前記カソード基板とともに、大気圧よりも減圧された気密室を形成する補強体とを備えた画像表示装置であって、該画像表示装置を他の機器に実装固定するための保持部材を備え、該保持部材が前記アノード基板を嵌めて固定するとともに、前記他の機器の外装の一部をなす画像表示装置。
（１４）  （１３）に記載された画像表示装置において、前記他の機器がＴＶセットであり、前記外装の一部が該ＴＶセットの前面部分である画像表示装置。
（１５）  光透過性材料からなり，その内面に蛍光体を備えたアノード基板と、前記蛍光体に対向する電子源をその内面に備え，前記アノード基板に間隙を介して対向配置されたカソード基板とを有し、前記アノード基板と前記カソード基板とをその一部とした真空外囲器を形成してなる表示パネルと、前記カソード基板の，前記アノード基板と反対側の面に固着された、板状の金属製の補強体とを備えた画像表示装置であって、該画像表示装置を他の機器に実装固定するための保持部材を備え、該保持部材が前記アノード基板を嵌めて固定するとともに、前記他の機器の外装の一部をなす画像表示装置。
（１６）  （１５）に記載された画像表示装置において、前記他の機器がＴＶセットであり、前記外装の一部が該ＴＶセットの前面部分である画像表示装置。
【発明の効果】
【００１４】
本発明によれば、表示パネルを側面より保持するため表示パネルの保持強度が向上するとともに、パネル保持の為の部品数及びパネル保持部材の製造工数が低減されコスト削減が達成され、また表示装置のセット枠とパネル保持部材とを一体化することにより最終製品の意匠性を向上させることも可能である。
【００１５】
本発明によれば、表示画質の低下を伴うことなしに、軽量化及び薄型化を可能とし、かつ表示パネルの保持構造の信頼性が高められた画像表示装置が得られる。
【発明を実施するための最良の形態】
【００１６】
以下、本発明の実施例を、図面を参照して詳細に説明する。なお、実施例を説明する全図において、同一機能を有するものは同一符号を付け、その繰り返しの説明は省略する。
【００１７】
本発明は、電界放出等を利用した複数の電子源をマトリクス状に配列し、該電子源からの電子を蛍光体に射突させて蛍光体を発光させる画像表示装置に適用可能なものである。
【００１８】
即ち、例えば、特開平11−162383号公報、特開2002−55652号公報等に開示されている、その電子源がカーボンナノチューブから構成されている画像表示装置（以下ＣＮＴ−ＦＥＤと称す）、或いは、同じく特開平11−162383号公報、特開2002−55652号公報等に開示されている、その電子源がコーン状のスピント(Spindt)型電界放出カソードから構成されている画像表示装置に適用可能である。本発明が、ＣＮＴ−ＦＥＤ、スピント型カソードを使用した画像表示装置以外の、電界放出等を利用した電子源をマトリクス状に配列し、該電子源からの電子を蛍光体に射突させて蛍光体を発光させる表画像示装置に適用可能であることは言うまでもない。
【実施例１】
【００１９】
図１は、本発明の第１の実施例による画像表示装置の構成を示す分解模式斜視図である。図１において、アノード基板２のスクリーン面の右下の四半分に対応する画像表示装置の部分を例に採り、その平面図を図２に、そのA矢視図を図３に、IV−IV線断面図を図４に、B矢視図を図５に、及びVI−VI線断面図を図６に示す。図４において、画像表示装置１００の表示パネル２００は、画像表示面を形成する蛍光体１がその内面に形成されているアノード基板２と、電子源３が設けられている平板状のカソード基板４とを、電子源３が蛍光体１に所定の間隙を介して対向させて気密な真空外囲器を形成し、この真空外囲器の内部を真空に排気して形成されている。なお、蛍光体１及び電子源３は、実際の表示パネルにおいて、画素毎に、分離されて形成されているが、本明細書添付の図面においては、簡単の為、それぞれ一体として図示する。
【００２０】
本実施例による画像表示装置１００は、この表示パネル２００のカソード基板４に、金属製の皿状の補強体３００が固着されて構成されている。
【００２１】
なお、本明細書添付の図面においては、簡単の為、アノード基板２及びカソード基板4に形成されて電極構体、電気配線及びそれらからの外部取り出し電極端子などの図示を省略し、かつ、明瞭化のため、図中の各要素が、実際の表示装置の場合とは異なる縮尺比率を用いて誇張して描かれている場合がある。
【００２２】
アノード基板2は、その表面に蛍光体1の膜が形成された透明なガラスで、その表示部は、例えば10 mm厚の平板状に形成されている。アノード基板2は四角形(具体的には長方形、例えば、400 mm x 300 mm )に形成されている。カソード基板4は、その表面に電子源3が多数形成されており、平板状に形成されている。カソード基板4はアノード基板2より若干大きな四角形(具体的には長方形)に形成されると共に、アノード基板2よりも薄く（例えば、2.8 mm）形成されている。
【００２３】
カソード基板4の材料としては、電子源3や電気的配線（図示せず）の形成プロセス、アノード基板2との線膨張係数の整合性などから、ガラスを用いることが好ましい。但し、シリコン基板や、例えばコバールや42アロイなどの金属板で、表面に絶縁層を設けたものを用いてもよい。
【００２４】
アノード基板2とカソード基板4とは、蛍光体1と電子源3が対向する向きで平行になるように接合されている。アノード基板2とカソード基板4との間の空間は、外周を封止された電子放出室6として形成されている。この電子放出室6は真空に排気されており、電子源3から放出された電子が蛍光体1に当たることにより、蛍光体1が発光して画像を表示する。
【００２５】
なお、電子源3は、例えば、図４においては、簡単化ため電子源の配置領域を一体として描いているが、実際は多数の電子源が二次元的に配列されている。蛍光体1についても、図４中では省略のため蛍光体の配置領域を一体として描いているが、例えばカラーパネルの場合は、赤、緑、青の蛍光体が電子源に対応して二次元的に配列されている。
【００２６】
本実施例における補強体３００は、金属板を加工して容器状に形成されたものである。この補強体３００は、その周辺部を、例えばフリットガラスなどの封着材（図示せず）によりカソード基板４に気密に封着されて、カソード基板４とともに、上記電子放出室6とは独立した気密室を形成している。さらに本実施例においては、補強体３００とカソード基板４によって形成された気密室の内部が、大気圧よりも低圧になるように真空に排気している。
【００２７】
電界放射型画像表示装置１００においては、電子放出室6内部を真空に排気するため、大気圧がカソード基板4に直接加わると、カソード基板4が電子放出室6内部へ向けて撓み、蛍光体1と電子源3との間の間隔が所望の値に保てなくなるという問題が生じる。この撓みを小さくするためにカソード基板4を厚くすると、例えばスクリーンの対角径が32インチ以上の大型画像表示装置においては、重量が重くなり、商品価値が低下する。本実施例では、カソード基板4とこれに気密封着された補強体３００とで、気密室を形成し、かつこの気密室が真空に排気されているので、カソード基板4に直接大気圧が加わらないので、カソード基板4が薄くても大気圧によるカソード基板4の撓みを小さくすることができる。
【００２８】
補強体３００としては、カソード基板4との線膨張係数が近いことが望ましく、例えばコバール薄板や、Ｆｅ−Ｎｉ合金、ステンレス、42アロイ、鉄、銅、アルミニウムなどの金属薄板などを用いることができる。
【００２９】
電子放出室6の内部の真空度は、電子源3から電子が安定的に放出されるよう、例えば10−６Torr程度の高真空であることが望ましい。一方、補強体３００内部の真空度は、製造工程の短縮の観点から、高真空にする必要はない。カソード基板4には、電子放出室6内と補強体３００内部との間の圧力差に相当する圧力がかかるので、この圧力差が、カソード基板4自身の剛性で耐えられる圧力差より小さくなればよい。
【００３０】
上記実施例においては金属製の補強体３００を使用しているが、この金属製の補強体３００の代わりに、ガラス製で、上記実施例同様皿形状の補強体を使用することも可能である。その他の点については、基本的に実施例１の場合と同じである。この皿形状の補強体をフリットガラスなどの接着剤を使って、カソード基板４に気密封着することにより、カソード基板４及び補強体により気密室が形成されている。この気密室の内部は、実施例１の場合と同様に、真空に排気され、大気圧より低圧になっている。この場合も、カソード基板4とこれに気密封着されたガラス製補強体とで、気密室を形成し、かつこの気密室が真空に排気されているので、カソード基板4に直接大気圧が加わらないので、カソード基板4が薄くても大気圧によるカソード基板4の撓みを小さくすることができる。従って、大型画像表示装置の、高解像度化並びに軽量化及び薄型化を可能とする。
【００３１】
なお、以上の実施例では、補強体３００あるいは同様形状のガラス製の補強体が、カソード基板４に気密に封着されて、カソード基板４との間に気密室を形成し、その気密室を真空に排気し、気密室内部を大気圧より低圧にする構成であったが、補強体がカソード基板４との間に気密室を形成しない構成にすることもできる。例えば、概略板状の金属板を表示パネル２００のカソード基板４の外側に接着剤を介して固着しても良い。この場合、さらに効果を挙げるため、表示パネル２００のカソード基板４の外側に、多数のリブが設けられた概略板状の金属製の補強体を、該リブ部分でカソード基板４に接着剤を介して固着してもよい。この場合の補強体とカソード基板４との間には気密室は形成されていない。補強体には、例えば多数の線状のリブが広い面積に亘って形成されているので、これに固着されているカソード基板４の厚みは薄くても、カソード基板４が大気圧によって撓む量を許容範囲内に抑えることが出来る。なお、上記リブは、線状に限らず格子状に設けても良い。
【００３２】
ここで、再び図1及び図5に戻って説明する。表示パネル２００の左右側面には、例えば接着剤（図示せず）などによりパネル保持部材４００が取り付けられている。このパネル保持部材４００には、表示パネル２００を、例えばＴＶセットの筐体に取り付けるための取り付けネジ４２０（図8参照）を挿通するための取り付けネジ孔４１０が設けられている。図7は表示パネル２００が実装されたＴＶセット５００の正面図を、図8は同じくＴＶセット５００の分解斜視図を、図9はＴＶセット５００の側面図を、図10は図7のＴＶセット５００のＸ−Ｘ線断面図を、図11は図7のＴＶセット５００のＸＩ−ＸＩ線断面図を、図１２は図１１のＡ部の詳細図を示す。なお、図8において、参照番号５１０はＴＶセットのフロントケースを、参照番号５２０はＴＶセットのリアケースを、参照番号５３０はＴＶセットのスタンドを示す。
【００３３】
以上詳述したように、本実施例においては、表示パネル２００を側面より保持するため表示パネル２００の保持強度が向上するとともに、表示パネル２００保持の為の部品数及び表示パネル２００保持部材の製造工数が低減されコスト削減が達成され、また表示装置のセット枠とパネル保持部材とを一体化することにより最終製品の意匠性を向上させることも可能である。
【００３４】
なお、上記実施例においては、パネル保持部材４００がアノード基板２に固着されているとしたが、図１３に示すように、パネル保持部材４００を、接着剤あるいは溶接によって補強体３００側に固着しても上記実施例同様の作用効果が得られるのは勿論である。さらに、パネル保持部材４００を、アノード基板２及び補強体３００の双方に設けてもよいことは勿論である。さらに、上記実施例においては、パネル保持部材４００に係合するネジ４２０がＴＶセットのフロントケース５１０の側壁を挿通するとしたが、ネジ４２０がＴＶセットのリアケース５２０を挿通するようにパネル保持部材４００の形状を構成してもよい。さらには、パネル保持部材４００に係合するネジ４２０がＴＶセットのフロントケース５１０の前面を挿通するようにパネル保持部材４００の形状を構成してもよい。
【００３５】
なお、上記実施例においては、パネル保持部材４００が表示パネルの左右側面に固着されているとしたが、パネル保持部材４００を、表示パネルの上下側面に固着する構成でも記実施例同様の作用効果が得られるのは勿論である。さらには、パネル保持部材４００を、表示パネルの上下左右側面に固着する構成でも記実施例同様の作用効果が得られるのは勿論である
本発明によれば、表示画質の低下を伴うことなしに、軽量化及び薄型化を可能とし、かつ表示パネルの保持構造の信頼性が高められた画像表示装置が得られる。
【実施例２】
【００３６】
図１４は、本発明の第２の実施例による画像表示装置の構成を示す分解模式斜視図である。図１４において、アノード基板２のスクリーン面の右下の四半分に対応する画像表示装置の部分を例に採り、その平面図を図１５に、そのA矢視図を図１６に、図１４におけるＸVII−XVII線断面図を図１７に、B矢視図を図１８に、及び図１４におけるXIX−XI線断面図を図１９に示す。なお、図１４におけるアノード基板２、カソード基板４、補強体３００、図１７における蛍光体１、電子源３、電子放出室６は実施例１の場合と同様のものである。
【００３７】
本実施例２においては、実施例１で使用されたパネル保持部材４００の代わりに、図１４、１７及び１９から明らかなように、アノード基板２が嵌め込まれる窓６１０が設けられたパネル保持部材６００が使用されている。アノード基板２とパネル保持部材６００との間の固定は、単なる嵌め合せ、あるいは接着剤を介した固定でも良い。先に、図１０に示した，実施例１による表示パネル２００を実装したＴＶセット５００の断面図に対応する、本実施例２による表示パネルを実装したＴＶセット５００の断面図を図２０に示した。
【００３８】
図２０から明らかな如く、本実施例においては、パネル保持部材６００が、ＴＶセット５００のフロントケースの役割をも果たしており、実施例１で用いられていたフロントケース５１０を不要としている。
【００３９】
本実施例においても、表示パネル２００を側面より保持するため表示パネル２００の保持強度が向上するとともに、表示パネル２００保持の為の部品数及び表示パネル２００保持部材の製造工数が低減されコスト削減が達成され、また表示装置のセット枠とパネル保持部材とを一体化することにより最終製品の意匠性を向上させることも可能である。
【００４０】
本発明によれば、表示画質の低下を伴うことなしに、軽量化及び薄型化を可能とし、かつ表示パネルの保持構造の信頼性が高められた画像表示装置が得られる。
【図面の簡単な説明】
【００４１】
【図１】本発明の第１の実施例による画像表示装置の構成を示す分解模式斜視図である。
【図２】図１におけるアノード基板のスクリーン面の右下の四半分に対応する画像表示装置の部分の平面図である。
【図３】図１における画像表示装置のA矢視図である。
【図４】図１における画像表示装置のIV−IV線断面図である。
【図５】図１における画像表示装置のＢ矢視図である。
【図６】図１における画像表示装置のVＩ−VＩ線断面図である。
【図７】実施例１による表示パネルを実装したＴＶセットの正面図である。
【図８】図7におけるＴＶセットの分解斜視図である。
【図９】図7におけるＴＶセットの側面図である。
【図１０】図7におけるＴＶセットのＸ−Ｘ線断面図である。
【図１１】図7におけるＴＶセットのＸＩ−ＸＩ線断面図である。
【図１２】図7の断面図におけるＡ部詳細図である。
【図１３】本発明の実施例１の変形例におけるパネル保持部材の詳細図である。
【図１４】本発明の第２の実施例による画像表示装置の構成を示す分解模式斜視図である。
【図１５】図１４におけるアノード基板のスクリーン面の右下の四半分に対応する画像表示装置の部分の平面図である。
【図１６】図１４における画像表示装置のA矢視図である。
【図１７】図１４における画像表示装置のVＩＩ−VＩＩ線断面図である。
【図１８】図１４における画像表示装置のＢ矢視図である。
【図１９】図１４における画像表示装置のＸＩＸ−ＸＩＸ線断面図である。
【図２０】実施例２による表示パネルを実装したＴＶセットの断面図である。
【符号の説明】
【００４２】
1…蛍光体、2…アノード基板、3…電子源、4…カソード基板、6…電子放出室、100…表示装置、200…表示パネル、300…補強体、400…パネル保持部材、410…取り付けネジ孔、４２０…取り付けネジ、500…ＴＶセット、510…ＴＶセットのフロントケース、520…ＴＶセットのリアケース、530…スタンド、600…パネル保持部材、610…パネル保持部材の窓。
【図１】
2007293003.tif 000003
【図２】
2007293003.tif 000004
【図３】
2007293003.tif 000005
【図４】
2007293003.tif 000006
【図５】
2007293003.tif 000007
【図６】
2007293003.tif 000008
【図７】
2007293003.tif 000009
【図８】
2007293003.tif 000010
【図９】
2007293003.tif 000011
【図１０】
2007293003.tif 000012
【図１１】
2007293003.tif 000013
【図１２】
2007293003.tif 000014
【図１３】
2007293003.tif 000015
【図１４】
2007293003.tif 000016
【図１５】
2007293003.tif 000017
【図１６】
2007293003.tif 000018
【図１７】
2007293003.tif 000019
【図１８】
2007293003.tif 000020
【図１９】
2007293003.tif 000021
【図２０】
2007293003.tif 000022